(57)【要約】【課題】本発明の課題は、任意の点滴容器の重量を精度良く自動測定すること及び点滴施療場所から離れた所（例えば看護師詰め所）に点滴の終了を報知する方法およびその方法を使った装置の提供である。【解決手段】第一の手段は、重量を検出するセンサとマイクロコンピュータを用いて該センサの信号を重量データに変換や演算及び制御を自動的に行うようにしたことである。第二の手段は、医療機関に常設のナースコール装置との連動および有線方式および無線方式の音声や音の出力や表示灯からなる報知器を設けたことである。【選択図】図１
2005224418.tif 000002
【特許請求の範囲】
【請求項１】
使用前の点滴容器を装置に吊下げて、該点滴容器の重量を前記装置で自動的に測定すると共に、該重量を基に点滴終了予告時の重量を前記装置で自動的に演算で求めてこれを基準重量とし、その後も前記装置で点滴容器の重量測定を継続すると同時に該測定した重量と前記基準重量を比較演算し、点滴施療により点滴容器の重量が減量して前記基準重量になったときに点滴の残量が終りに近いと定めて、前記装置から自動的に点滴終了予告信号を出力して、ナースコール装置または有線式や無線式の専用装置によって距離を限定することなく、医師や看護師に報知することができる点滴施療時の点滴終了報知方法。
【請求項２】
点滴容器の重量の測定方法は、荷重センサで直接重量を測定する方法のほか、ひずみセンサや変位量センサにより間接的に重量を測定する方法を含み、重量の測定方法を問わない、請求項１記載の点滴施療の終了報知方法。
【請求項３】
重量を検出するセンサと、該センサ信号の重量データ変換と演算と入出力信号の制御とシーケンス制御をするマイクロコンピュータと、無線信号の発信機と、表示ランプと、報知音の出力機器と、駆動用電池と、点滴容器の保持機構とを備えてケースに収納して一体化すると共に、前記発信機の無線信号を受信して音や光やデータで報知する専用装置および該信号をナースコール呼出し信号に変換とナースコール端子に接続する機構を有する受信変換器を備えたことを特徴とする点滴施療の終了報知装置。
【発明の詳細な説明】
【技術分野】
【０００１】
本発明は、点滴施療における点滴の終了を報知する方法およびその装置に関するものである。
【背景技術】
【０００２】
医療機関において点滴施療を行う場合、点滴の終了を報知する手段は人による方法であり、患者がスイッチを押して看護師等に知らせる方法が一般的である。報知を自動的に行う場合の支障は、点滴容器が様々であり、従って容量も様々なことから重量や経過時間で点滴の終了が予測できないことであった。このために点滴の終了は患者自身が目で確かめて報知をするか、看護師が度々巡回して目で確かめる方法、つまり目視で行っていた。これまでに報知を自動化する方法や装置が開発されたりしたが、点滴容器の重量を測定する精度が悪い問題点のほか、報知範囲が部屋の中に限られ、例えば看護師の詰め所等の離れた所に報知できない欠点があった。
【発明の開示】
【発明が解決しようとする課題】
【０００３】
本発明の課題は、任意の点滴容器の重量を精度良く自動測定すること及び点滴施療場所から離れた所（例えば看護師詰め所）に点滴の終了を報知する方法およびその方法を使った装置の提供である。
【課題を解決するための手段】
【０００４】
第一の手段は、重量を検出するセンサと該センサの信号を重量データに変換したり演算をするマイクロコンピュータを設けたことである。第二の手段は、医療機関に常設のナースコール装置との連動および有線方式および無線方式の音声や音の出力や表示灯からなる報知器を設けたことである。
【発明の効果】
【０００５】
本発明により、点滴施療において点滴終了が自動的に報知できるようになるため、患者への負担や看護師の緊張が緩和される効果がある。
【発明を実施するための最良の形態】
【０００６】
以下、本発明の実施の形態として一実施例を図１〜図５に基づいて説述する。
【実施例１】
【０００７】
図１は、点滴終了報知のしくみを説明する図である。１００は患者、１０１はベッド、１０２は点滴容器を吊下げるスタンド、１０３は本発明の装置、１０４は１０３に点滴容器を吊下げるフック、１０５は点滴容器、１０６は点滴用チューブ、１０７は１０３から発信した点滴終了報知の無線信号、１０８は１０７を受信してナースコール信号に変換する受信変換器、１０９はナースコール端子、１１０はナースコールスイッチである。１０２は医療機関で一般的に使用される点滴用スタンドであり、これに１０３を取付ける。１０３の下部にはフックがあり、これに点滴容器を吊下げると１０３の内部で重量測定を行い（測定のしくみは図２で説述する）任意に吊下げた点滴容器の重量が直ちに得られ、この値が点滴開始時の重量となる。このとき１０３の内部では該重量を元に演算を行い、点滴終了報知の重量を求めて記憶する。この点滴終了報知の重量は点滴開始時の重量の何％をもって終了報知とするかにより、この値は経験的に決められる。今、（点滴が行われた結果）点滴容器の重量が記憶した点滴終了報知の重量になった時、１０３内部の発信機から点滴終了報知の無線信号１０７が発信される。発信される無線信号１０７には識別用ＩＤが同時に附加される。１０７は１０８で受信され、識別用ＩＤが合致する場合のみナースコール呼出し信号に変換されて、１０９を通して看護師詰め所等に設置されているナースコール装置を作動させ看護師等に音や光で報知する。このようにして、看護師等はただ点滴容器を吊下げるだけで、自動的に点滴終了報知が得られる。
【０００８】
図２は、本発明の本体装置を説明する図で、（ａ）は１０３の断面図、（ｂ）は１０３前面のパネル図である。１０４は点滴容器を吊下げるフック、２００は本装置を点滴用スタンド等に取付けるための穴、２０１は荷重センサ、２０２は加圧用ブロック、２０３は復帰用バネ、２０４はマイクロコンピュータを含む電子回路基板、２０５は無線信号の発信機、２０６は本装置を駆動するための電池、２１０は前面パネル、２１１は電源スイッチ、２１２は装置のスタートスイッチ、２１３は点滴終了報知用ＬＥＤ、２１４は電池アラーム用ＬＥＤ、２１５はアラーム音用電子ブザーである。１０４に点滴用の容器を吊下げ、施療の準備ができたら２１２のスイッチを押す。１０４に点滴容器が吊下げられると１０４が少し下に下がり、２０２が２０１のセンサに荷重を伝える。そうすると加わった荷重に比例した信号が２０１から出力され、この信号が２０４に入り、マイクロコンピュータからなる電子回路で演算され、１０４にかかる重量が点滴終了報知の重量になった時に２０４は出力信号を出し、この信号によって２０５から点滴終了報知信号が無線で発信される。この時併せて２１３が点滅、２１５からアラーム音が発信され報知する。２１４は内部の電池の残量が少なくなったことを報知するものである。
【０００９】
図３は、ナースコール端子と接続する受信変換器のブロック図である。３００は受信変換器、３０１は１０３から発信された点滴終了報知信号、３０２は無線受信機、３０３は制御や信号変換を行う電子回路、３０４はナースコールスイッチ接続のインターフェース、３０５は既設のナースコールスイッチ、３０６はナースコール端子に接続するナースコール信号、３０７はナースコール端子、３０８は混信や誤動作を防止する目的の無線信号を識別するためのＩＤ設定器である。３０１の報知信号を３０２が受信すると３０８で設定したＩＤに合致する場合のみ３０３に出力信号が伝わり、３０３の電子回路の働きによりナースコール呼出し信号に変換されて３０６として取り出す。３０６は壁面などにあるナースコール端子に接続し、また既設のナースコールスイッチである３０５は３０４を介して３０７に接続する。従って、１０３から発信された３０１を受信すると３０７を介してナースコール呼出し信号が伝送されるため例えば、看護師詰め所などに点滴終了を報知することができる。尚、既設のナースコールスイッチ３０５は従来通り使用が可能である。
【００１０】
図４は本体装置を構成するブロック図である。既に説術した記号の説明は省略する。４０１は２０１の信号を増幅する増幅器、４０２は信号のＡＤ変換や制御や演算を行うマイクロコンピュータ、４０３は出力回路、４０４は入出力用のインターフェース、４０５は２０５の無線信号にＩＤを附加する設定器、４０６はアンテナである。図２の１０４に点滴容器が吊下げられて２１２のスイッチが押されると、２０１で検出した信号は４０１で増幅し、４０２でアナログ信号からデジタル信号に変換して予め決めた演算を行い重量データを得ると共に継続して重量測定を行う。測定した重量が予め演算して記憶した終了報知重量になると、４０３から出力信号が出て発信機２０５に入り、ここで４０５で設定した識別用ＩＤが附加されて無線信号として、４０６から発信される。１０７は発信した点滴終了報知の無線信号である。４０４はＬＥＤやスイッチやブザーを４０２と接続するためのインターフェースである。
【産業上の利用可能性】
【００１１】
以上説述したように本発明の方法および装置は、医療機関等において点滴施療をする場合に自動的に点滴の終了を報知する機能を持つため、従来の患者依存や看護師の常時緊張した管理状態からの業務を軽減する効果があり、点滴施療の監視に大変役立つものである。
【図面の簡単な説明】
【００１２】
【図１】本発明の点滴終了報知のしくみを説明する図である。
【図２】本発明の本体装置を説明する図である。
【図３】本発明の受信変換器のブロック図である。
【図４】本体装置を構成するブロック図である。
【符号の説明】
【００１３】
１００  患者    １０１  ベッド    １０２  点滴容器を吊下げるスタンド
１０３  本体装置    １０４  点滴容器を吊下げるフック    １０５    点滴容器
１０６  点滴用チューブ    １０７  １０３から発信した点滴終了報知の無線信号
１０８  受信変換器    １０９  ナースコール端子  
１１０  ナースコール用スイッチ
【００１４】
２００  本装置を点滴用スタンド等に取付けるための穴      ２０１  荷重センサ
２０２  加圧用ブロック      ２０３  復帰用バネ
２０４  マイクロコンピュータを含む電子回路基板      ２０５  無線信号の発信機
２０６  本装置を駆動するための電池      ２１０  前面パネル  
２１１  電源スイッチ      ２１２  装置のスタートスイッチ  
２１３  点滴終了報知用ＬＥＤ      ２１４  電池アラーム用ＬＥＤ
２１５  アラーム音用電子ブザー
【００１５】
３００  受信変換器      ３０１  １０３から発信された点滴終了報知信号
３０２  無線受信機      ３０３  制御や信号変換を行う電子回路
３０４  ナースコールスイッチ接続のインターフェース
３０５  既設のナースコールスイッチ  
３０６  ナースコール端子に接続するナースコール信号
３０７  既設のナースコール端子
３０８  混信や誤動作を防止する目的の無線信号を識別するためのＩＤ設定器
【００１６】
４０１  ２０１の信号を増幅する増幅器
４０２  信号のＡＤ変換や制御や演算を行うマイクロコンピュータ
４０３  出力回路      ４０４  入出力用のインターフェース
４０５  ２０５の無線送信信号にＩＤを附加する設定器      ４０６  アンテナ  
【図１】
2005224418.tif 000003
【図２】
2005224418.tif 000004
【図３】
2005224418.tif 000005
【図４】
2005224418.tif 000006